(57)【要約】【課題】照明効果を安価に向上させ省エネ化を達成すること、及び、容易に且確実に取り付けることができる反射板、及び、これを用いた照明装置を提供する。【解決手段】既設の照明機器２の反射器２３に取り付けられる反射板１であって、既設の照明機器２の反射器２３は、面内に第２の貫通孔２３４を有し、本体部２０を覆っている。止め螺子２５は、第２の貫通孔２３４を貫通し、反射器２３を本体部２０に螺子止めしている。反射板１は、基板部１０の一面が鏡面状であり、第１の貫通孔１６が、基板部１０の面内において、第２の貫通孔２３４に重なる位置に設けられている。本発明に係る照明装置において、反射板１は、第１、第２の貫通孔１６、２３４が重なる関係で反射器２３に配置され、止め螺子２５は、第１、第２の貫通孔１６、２３４を貫通し、反射板１と、反射器とを本体部２０に螺子止めしている。【選択図】図３
2011096684.tif 000002
【特許請求の範囲】
【請求項１】
既設の照明機器を構成する反射器に取り付けられる反射板であって、基板部と、第１の貫通孔とを含み、
前記既設の照明機器は、反射器と、本体部と、２組のソケット対と、止め螺子とを有しており、
前記反射器は、断面Ｖ字状であって、前記Ｖ字状の頂部を挟んだ両斜面のそれぞれに第２の貫通孔を有しており、
前記本体部は、前記反射器の前記Ｖ字状の内側に配置されており、
前記２組のソケット対のそれぞれは、前記両斜面のそれぞれに設けられ、前記ソケット対を構成するソケットが互いに間隔を隔てており、
前記止め螺子は、前記第２の貫通孔を貫通し、前記反射器を前記本体部に螺子止めしており、
前記反射板の前記基板部は、
平面からみて長方形形状であって、長辺の長さ寸法が、前記ソケット対の前記間隔以下となっており、かつ、
断面Ｖ字形状の薄板であって、屈曲部によって画定される２つの面部で構成され、内面が鏡面状となっており、
前記第１の貫通孔は、前記２つの面部の一方において、前記第２の貫通孔に重なる位置に設けられており、
前記反射板は、前記２つの面部の一方の外面を取り付け面として、前記両斜面の一方に配置され、前記配置された状態で前記止め螺子を、前記第１の貫通孔と、前記第２の貫通孔とに挿通させることにより、前記両斜面の一方に螺子止めされる、
反射板。
【請求項２】
既設の照明機器と、反射板とを含む照明装置であって、
前記既設の照明機器は、反射器と、本体部と、２組のソケット対と、止め螺子とを有しており、
前記反射器は、断面Ｖ字状であって、前記Ｖ字状の頂部を挟んだ両斜面のそれぞれに第２の貫通孔を有しており、
前記本体部は、前記反射器の前記Ｖ字状の内側に配置されており、
前記２組のソケット対のそれぞれは、前記両斜面のそれぞれに設けられ、前記ソケット対を構成するソケットが互いに間隔を隔てており、
前記反射板は、請求項１に記載されたものでなり、前記２つの面部の一方の外面を取り付け面として、前記両斜面の一方に配置され、前記配置された状態で前記止め螺子を、前記第１の貫通孔と、前記第２の貫通孔とに挿通させることにより、前記両斜面の一方に螺子止めされている、
照明装置。
【発明の詳細な説明】
【技術分野】
【０００１】
本発明は、反射板、及び、これを用いた照明装置に関し、特に、既設の照明機器に対して追加して設置される反射板に関するものである。
【背景技術】
【０００２】
従来、一般住宅や商業施設の天井などに取り付けられて下方を照射する照明機器について、特許文献１に開示されているような照明機器が知られている。特許文献１記載の照明機器において、反射器は、表面が白色塗装され、且、表面にソケット挿通孔が設けられている。点灯回路部は、一対のソケットを有し、反射器の裏面側に収納され、収納された状態で反射器が止め螺子により機器本体部に螺子止めされている。一対のソケットは、ソケット挿通孔を通じて反射器の表面側に導出され、直管型蛍光灯と電気的に接続されている。
【０００３】
ところで、この種の照明機器には、省エネ化の観点から、照明効果の向上に対する市場の要請がある。この要請に応えるには、既設の反射器を、より光反射率の高い反射面を有する反射器に交換することが考えられる。
他方、特許文献１記載の照明機器のように、反射器が、機器本体部と一体的に組み合わされている構成では、反射器のみを交換することは困難である。その結果、当該照明機器の製造メーカで交換用の反射器が別途販売されていない限り、反射器のみを交換することはできず、照明機器全体を買い換えなければならないこととなる。
【０００４】
そこで、近年、フックなどの掛止手段によって直管型蛍光灯に直接掛け止めるタイプの反射板が提供されている。しかし、反射板を直管型蛍光灯に直接掛け止める構造では、以下のような、新たな問題が生じる。
【０００５】
まず、反射板を蛍光灯に掛け止める構造によると、蛍光灯の交換の度に、廃棄する蛍光灯から一旦反射板を取り外す作業、未使用の蛍光灯に対して当該反射板を取り付ける作業、及び、反射板を取り付けた未使用の蛍光灯をソケットに装着する作業とが必要になり、非常に煩雑である。
【０００６】
また、反射板を蛍光灯に掛け止める構造によると、反射板の向きを最適な角度に設置することが困難であり、所望の照明効果を奏することができない。しかも、商業施設など蛍光灯の数が増えるに従って、反射板の取り付け角度を均一にそろえることが難しくなり、見栄えも悪くなる。
【０００７】
さらに、反射板を蛍光灯に掛け止める構造によると、蛍光灯に反射板の重さがかかることとなる。従って、外部からの衝撃を受けた際、特に地震などの際に蛍光灯の落下事故が生じる可能性が高くなるなど、安全面で問題がある。
【先行技術文献】
【特許文献】
【０００８】
【特許文献１】特開平９−１９８９１４号公報
【発明の概要】
【発明が解決しようとする課題】
【０００９】
本発明の課題は、照明効果を向上させ、省エネ化を達成することができる反射板、及び、これを用いた照明装置を提供することである。
【００１０】
本発明のもう１つの課題は、照明効果を安価に向上させることができる反射板、及び、これを用いた照明装置を提供することである。
【００１１】
本発明の更にもう１つの課題は、容易に取り付けることができる反射板、及び、これを用いた照明装置を提供することである。
【００１２】
本発明の更にもう一つの課題は、確実に取り付けることができる反射板、及び、これを用いた照明装置を提供することである。
【課題を解決するための手段】
【００１３】
上述した課題を解決するため、本発明に係る反射板は、既設の照明機器を構成する反射器に取り付けられる。既設の照明機器は、止め螺子と、反射器と、本体部とを有している。反射器は、面内に第２の貫通孔を有し、本体部を覆っている。止め螺子は、第２の貫通孔を貫通し、反射器を本体部に螺子止めしている。
【００１４】
反射板は、基板部と、第１の貫通孔とを含む。反射板の基板部は、一面が鏡面状である。第１の貫通孔は、基板部の面内において、第２の貫通孔に重なる位置に設けられている。
【００１５】
本発明に係る反射板は、既設の照明機器と組み合わされて、照明装置を構成する。本発明に係る照明装置において、反射板は、第１の貫通孔と、第２の貫通孔とが重なる関係で、反射器に配置されている。止め螺子は、第１の貫通孔と、第２の貫通孔とを貫通し、反射板と、反射器とを本体部に螺子止めしている。
【００１６】
上述したように、本発明に係る照明装置を構成する反射板は、既設の照明機器に取り付けられる。より詳細に説明すれば、本発明に係る反射板は、一般住宅や商業施設において現に用いられている照明機器に対して追加して設置されるものであって、既設の照明機器の全部、又は、一部を交換するものではないから、照明効果を安価に向上させ、省エネ化を実現することができる。
反射板の基板部は、一面が鏡面状であるから、基板部の一面側に、蛍光灯などの光源を配置することにより、光源から発せられる光を、基板部の一面で反射させることができる。従って、照明効果が向上する。
【００１７】
さらに、既設の反射器に対し、一面が鏡面状の反射板を重ねて取り付けることが可能となるから、既設の蛍光灯の使用を続ける場合には照明効果が向上する。一方、従来の照明効果で足りる場合には、既設の蛍光灯を低ワット数の蛍光灯に交換し、又は、蛍光灯の点灯数を減らすことが可能となる。従って、照明効果を向上させるとともに、省エネ化を達成することができる。
【００１８】
反射板の第１の貫通孔は、基板部の面内において、第２の貫通孔に重なる位置に設けられている。この構造によると、反射板を、第１の貫通孔と、第２の貫通孔とが重なる関係で、反射器に位置決めすることにより、もともと既設の照明機器に用いられている止め螺子を用いて、反射板を反射器に容易に取り付けることができる。
【００１９】
反射板は、もともと既設の照明機器に用いられている止め螺子を用いて、既設の照明機器の本体部に螺子止めされるから、少ない部品点数で、安価に、容易に取り付けることができる。
【００２０】
反射板は、既設の照明機器の本体部に螺子止めされるから、確実に取り付けることができる。その結果、外部からの衝撃を受けた際、特に地震などの際に蛍光灯の落下事故が生じる危険を低減することができる。
【発明の効果】
【００２１】
以上述べたように、本発明によれば、次のような効果を得ることができる。
【００２２】
（１）照明効果を向上させ、省エネ化を達成することができる反射板、及び、これを用いた照明装置を提供することができる。
（２）照明効果を安価に向上させることができる反射板、及び、これを用いた照明装置を提供することができる。
（３）容易に取り付けることができる反射板、及び、これを用いた照明装置を提供することができる。
（４）確実に取り付けることができる反射板、及び、これを用いた照明装置を提供することができる。
本発明の他の目的、構成及び利点については、添付図面を参照し、更に詳しく説明する。添付図面は、単に、例示に過ぎない。
【図面の簡単な説明】
【００２３】
【図１】本発明の一実施形態に係る反射板の平面図である。
【図２】図１の２−２線に沿った断面図である。
【図３】本発明の一実施形態に係る照明装置の斜視図である。
【図４】図３に示した照明装置の分解構造を示す斜視図である。
【図５】図３に示した照明装置の側面図である。
【図６】図３に示した照明装置の内部構造について一部を破断して示す断面図である。
【図７】本発明のもう一つの実施形態に係る照明装置の斜視図である。
【図８】本発明のもう一つの実施形態に係る反射板の平面図である。
【図９】図８に示した反射板を用いた照明装置の内部構造を示す断面図である。
【図１０】本発明の更にもう一つの実施形態に係る反射板の平面図である。
【図１１】図１０に示した反射板を用いた照明装置の内部構造を示す断面図である。
【図１２】本発明の更にもう一つの実施形態に係る反射板の平面図である。
【図１３】図１２の１３−１３線に沿った断面図である。
【図１４】図１２及び図１３に示した反射板を用いた照明装置の内部構造を示す断面図である。
【図１５】本発明の更にもう一つの実施形態に係る反射板の平面図である。
【図１６】図１５に示した反射板を用いた照明装置の内部構造を示す断面図である。
【発明を実施するための形態】
【００２４】
図１及び図２の反射板は、既設の照明機器を構成する反射器（図示しない）に対し、追加して取り付けられる。本明細書において「既設の照明機器」とは、一般住宅や商業施設などの室内、又は、街灯などの室外において、現に用いられている照明機器、照明機器製造メーカによって反射器、安定器、点灯用電気回路、電気配線などが予め一体的に組み立てられている照明機器、照明機器製造メーカの名が付された純正の照明機器、照明機器製造メーカのカタログ等に掲載されている照明機器などをいう。以下、本発明に係る反射板の具体的構成について、図１及び図２を参照して説明する。
【００２５】
図１及び図２の反射板は、既設の照明機器を構成する反射器（図示しない）に取り付けられるものであって、基板部１０と、第１の貫通孔１６と、切欠部１７とを含む。
【００２６】
基板部１０は、平面からみて長方形形状の薄板であって、厚み方向Ｔの両側に一面１０１と、他面１０２とを有している。基板部１０は、長さ方向Ｌに沿って長さ寸法Ｌ１０を有し、長さ方向Ｌに交差する幅方向Ｗに沿って幅寸法Ｗ１０を有している。一例として、長さ寸法Ｌ１０は１２００ｍｍ程度、幅寸法Ｗ１０は４００ｍｍ程度である。また、基板部１０の厚み寸法Ｔ１０は、好ましくは０．３〜１．０ｍｍ程度である。図１及び図２の実施形態では、基板部１０の厚み寸法Ｔ１０は、０．５ｍｍである。
【００２７】
基板部１０は、一面１０１が鏡面状に平滑化されて光反射面を構成し、他面１０２の側が反射器（図示しない）への取り付け面となっている。基板部１０は、好ましくはアルミ、ステンレスなど金属材料でなり、予め一面１０１の表面が研磨され、高い光反射率が付与されている。もっとも基板部１０は、合成樹脂等を同形状に成形し、その表面に、アルミ、ステンレスなどの金属材料を薄層形成したものであってもよい。
【００２８】
図１及び図２の基板部１０は、断面Ｖ字形状であって、第１の面部１１と、第２の面部１２と、第１の屈曲部１４とを有している。第１の面部１１は、断面Ｖ字形状を有する基板部１０の一方斜面である。第２の面部１２は、断面Ｖ字形状を有する基板部１０の他方斜面であって、第１の屈曲部１４を介して第１の面部１１と連続している。図１及び図２において、第１、第２の面部１１、１２の形状、及び、面積は、第１の屈曲部１４を挟んでほぼ左右対称である。
【００２９】
第１の屈曲部１４は、断面Ｖ字形状の頂点であり、基板部１０において、第１の面部１１と、第２の面部１２とを画定している。第１の屈曲部１４の内側において、第１、第２の面部１１、１２の対向面間に形成される内角θ１は、好ましくは１００度以上１３０度以下の範囲内にある。図１及び図２の実施形態において、内角θ１は、１１５度である。
【００３０】
第１の貫通孔１６は、第１の面部１１の面内に開口し、一面１０１から他面１０２に貫通している。第１の貫通孔１６は、図示しない既設の照明機器において、反射器を機器本体部に固定するために用いられている止め螺子を挿通するために用いられる螺子孔であって、止め螺子が反射器を貫通している部分に対応する位置に開設されている。図１の第１の貫通孔１６は、長軸と短軸とを有する長穴であり、長軸が基板部１０の長さ方向Ｌに沿っており、好ましくは長軸が、基板部１０において幅方向Ｗに向かい合う端縁１０３、１１２と平行している。
【００３１】
図１の第１の貫通孔１６は、複数が長さ方向Ｌに間隔Ｌ１６を隔てて開設され、好ましくは相互に同一線上ａに開設されている。一例として間隔Ｌ１６は、８００ｍｍ〜１１００ｍｍ程度である。もっとも第１の貫通孔１６の設置数、設置箇所、間隔Ｌ１６は、既設の照明機器における止め螺子の設置数及び設置箇所に追従して決定されるものである。
【００３２】
切欠部１７は、第１の面部１１において、端縁１０３に開口し、端縁１０３から幅方向Ｗに凹状に後退している。切欠部１７は、図示しない既設の照明機器に備えられているグローランプの退避空間であって、同グローランプが反射器上に突出している位置に対応する位置に形成されている。
【００３３】
図１の切欠部１７は、複数が、長さ方向Ｌに間隔Ｌ１７を隔てて設けられている。一例として間隔Ｌ１７は、１０２０ｍｍ程度である。もっとも切欠部１７の設置数、設置箇所、間隔Ｌ１７は、既設の照明機器におけるグローランプの設置数及び設置箇所に追従して決定されるものである。
【００３４】
図３は、本発明の一実施形態に係る照明装置の斜視図である。また、図４は図３に示した照明装置の分解構造を示す斜視図、図５は図３に示した照明装置の側面図、図６は図３に示した照明装置の内部構造について一部を破断して示す断面図である。図３乃至図６において、図１及び図２に示した構成部分と同一の構成部分には、同一の参照符号を付す。
【００３５】
図１および図２を参照して説明した反射板１は、既設の照明機器２と組み合わされて、照明装置を構成する。図３乃至図６の既設の照明機器２は、本体部２０と、点灯用回路部２２と、反射器２３と、止め螺子２５と、直管型蛍光灯２６と、グローランプ２７とを有している。
【００３６】
本体部２０は、一般住宅や商業施設の天井３などに取り付けられている。点灯用回路部２２は、一対のソケット２２１を有し、本体部２０に取り付けられている。一対のソケット２２１は、長さ方向Ｌの両端のそれぞれに、間隔Ｌ２２１を隔てて向かい合っている。
【００３７】
反射器２３は、断面Ｖ字状であって、略Ｖ字状の頂部を挟んだ両斜面２３０、２３１が白色塗装されており、長さ方向Ｌの両端のそれぞれに、２つソケット挿通孔２３２が幅方向Ｗに並んで開設されている。反射器２３は、面内に第２の貫通孔２３４を有し、点灯用回路部２２と本体部２０と一体的に覆っており、それらを覆った状態で一対のソケット２２１が、ソケット挿通孔２３２を通じて反射器２３の表面側に導出されている。
【００３８】
止め螺子２５は、第２の貫通孔２３４を通じて反射器２３を貫通し、反射器２３を本体部２０に掛け止めている。即ち、本体部２０は、反射器２３の裏面側に収納され、収納された状態で反射器２３が螺子止めされている。
【００３９】
直管型蛍光灯２６は、一対のソケット２２１と電気的に接続されている。図３において、２つの直管型蛍光灯２６は、反射器２３の頂部に略平行に配置され、配置された状態でソケット２２１に装着されている。即ち、一対のソケット２２１の間隔Ｌ２２１は、直管型蛍光灯２６の長さ寸法に応じて予め設定されている。
【００４０】
第１の貫通孔１６は、第１の面部１１の面内において、第２の貫通孔２３４に重なる位置に設けられている。反射板１は、第１の貫通孔１６と、第２の貫通孔２３４とが重なる関係で、反射器２３の一方斜面２３０に配置されている。第１の面部１１は、その平面形状が、取り付け面となる反射器２３の一方斜面２３０の平面形状と一致するか、又は、縮小された相似形であることが好ましい。また、図１に示すように、反射板１の長さ寸法Ｌ１０は、好ましくは一対のソケット２２１の対向間隔Ｌ２２１以下である。この構造により、反射板１が、反射器２３と、直管型蛍光灯２６との間において、傾斜面２３１の一方に取り付けられる。
【００４１】
止め螺子２５は、第１の貫通孔１６と、第２の貫通孔２３４とを貫通し、反射板１と、反射器２３とを本体部２０に螺子止めしている。図６を参照すると、止め螺子２５は、第１の貫通孔１６と、第２の貫通孔２３４とを貫通し、本体部２０に予め設けられている螺子受け部２０１に螺着されている。
【００４２】
さらに、反射板１を既設の照明機器２に設置する取り付け方法について、図４を参照して説明すると、まず、止め螺子２５を反射器２３、及び、本体部２０から取り外し、次に、第１の貫通孔１６と、第２の貫通孔２３４とが重なる関係で、反射板１を反射器２３に位置決めし、次に、取り外した止め螺子２５を、第１の貫通孔１６と、第２の貫通孔２３４とを貫通させ、反射板１と、反射器２３とを本体部２０に螺子止めする。
【００４３】
図１及び図２の反射板１、及び、これを用いて構成した図３乃至図６の照明装置の構造によると次の作用効果を奏することができる。まず、反射板１は、一般住宅や商業施設の天井３などにおいて、現に用いられている既設の照明機器２に対して追加して設置されるものであって、既設の照明機器２の全部、又は、一部を交換するものではないから、既設の照明機器２の照明効果を安価に向上させ、省エネ化を実現することができる。
【００４４】
基板部１０は、金属材料を主成分とする薄板であるから、軽量であるとともに、優れた機械的強度を有し、施工作業時の取り回しが容易である。また、基板部１０は、薄板であるから、嵩張らない態様で運搬し、保管することができる。従って、照明効果を安価に向上させることができる。
【００４５】
反射板１の基板部１０は、一面１０１が鏡面状であるから、一面１０１の側に、直管型蛍光灯２６を配置することにより、直管型蛍光灯２６から発せられる光を、基板部１０の一面１０１で反射させることができる。しかも、基板部１０において、第１、第２の面部１１、１２の対向面間に形成される内角θ１が、好ましくは１００度以上１３０度以下の範囲内にある。この構成によると、直管型蛍光灯２６から反射板１の側に発せられた光（Ｒ２６）が、第１、第２の面部１１、１２の対向面間で反射され、基板部１０の断面Ｖ字形状の開口側に導かれる（Ｒ２６）。従って、光反射率（照明効果）が向上する。
【００４６】
また、例えば表面が白色塗装されている既設の反射器２３に対して、より光反射率の高い反射板１を重ねて取り付けることが可能となることにより、既設の蛍光灯の使用を続ける場合には照明効果が向上する。一方、従来の照明効果で足りる場合には、既設の蛍光灯を低ワット数の蛍光灯に交換し、又は、既設の蛍光灯の点灯数を減らすことが可能となる。従って、照明効果を向上させるとともに、省エネ化を達成することができる。
【００４７】
第１の貫通孔１６は、第１の面部１１の面内において、第２の貫通孔２３４に重なる位置に設けられている。この構造によると、反射板１を、第１の貫通孔１６と、第２の貫通孔２３４とが重なる関係で、反射器２３の一方斜面２３０に位置決めすることにより、既設の照明機器２に用いられている止め螺子２５を用いて、反射板１を反射器２３に取り付けることができる。従って、少ない部品点数で、安価に、容易に取り付けることができる。
【００４８】
第１の貫通孔１６は、長軸と短軸とを有する長穴であるから、各照明機器製造メーカの製品毎に第２の貫通孔２３４の設置位置が、多少移動したとしても、これに追従し取り付けることができる。
【００４９】
反射板１は、既設の照明機器２の反射器２３とともに、本体部２０に螺子止めされる。違う言葉で表現すれば、本発明の一実施形態に係る照明装置において、反射板１は直管型蛍光灯２６に掛け止められる構造ではないから、直管型蛍光灯２６に反射板１の重さがかかる不都合はない。従って、確実に取り付けることができ、外部からの衝撃を受けた際、特に地震などの際に直管型蛍光灯２６の落下事故が生じる危険を低減することができる。
【００５０】
反射板１は、本体部２０に螺子止めされるから、直管型蛍光灯２６の交換の度に、廃棄する直管型蛍光灯２６から一旦反射板１を取り外す作業、未使用の直管型蛍光灯２６に対して当該反射板１を取り付ける作業、及び、反射板１を取り付けた未使用の直管型蛍光灯２６をソケット２２１に装着する作業は不要である。従って、施工効率を向上することができる。
【００５１】
反射板１は、反射器２３上において、本体部２０に螺子止めされるから、反射板１の設置姿勢が安定化する。従って、所望の照明効果を奏することができるとともに、商業施設など直管型蛍光灯２６の設置数が多い場合でも反射板１の取り付け角度を均一にそろえることができる。
【００５２】
図７は、本発明のもう一つの実施形態に係る照明装置の斜視図である。図７において、図１乃至図６に示した構成部分と同一の構成部分には、同一の参照符号を付す。
【００５３】
図７の実施形態は、図３乃至図６を参照して説明した照明装置において、２つの直管型蛍光灯２６に係る照明効果を向上させるべく反射器２３の両斜面２３０、２３１に、反射板１を取り付けた状態を示している。図７において２つの反射板１は、既設の照明装置２を構成する反射器２３の頂部、又は、グローランプ２７に対して左右対称に取り付けられている。
【００５４】
図７の実施形態によっても、図１乃至図６を参照して説明した利点を全て有することができる。
【００５５】
図８は本発明のもう一つの実施形態に係る反射板の平面図、図９は図８に示した反射板を用いた照明装置の内部構造を示す断面図である。図８及び図９において、図１乃至図７に示した構成部分と同一の構成部分には、同一の参照符号を付す。
【００５６】
図８の反射板１は、図７に示した２つの反射板１を一体的に結合した構造を有している。図８の反射板１は、基板部１０と、第１の貫通孔１６と、切欠部１７とを含む。
【００５７】
図８の基板部１０は、平面からみて長方形形状の薄板であって、厚み方向Ｔの両側に一面１０１と、他面１０２とを有している。基板部１０は、長さ方向Ｌに沿って長さ寸法Ｌ１０を有し、長さ方向Ｌに交差する幅方向Ｗに沿って幅寸法Ｗ３０を有している。図８の基板部１０の幅寸法Ｗ３０は、好ましくは図１の基板部１０の幅寸法Ｌ１０の２倍程度である。
【００５８】
基板部１０は、幅方向Ｗに沿って凹凸を繰り返す断面Ｗ字形状、又は、断面Ｍ字形状であって、頂部１８と、第１の屈曲部１４と、第２の屈曲部１５を有している。頂部１８は、板面の幅寸法Ｗ３０の中間部分において一面１０１に突出し、長さ方向Ｌに沿って延びている。頂部１８において、他面１０２の側に現れる内角は、好ましくは既設の照明機器２を構成する反射器２３の頂部の外角に一致するように予め設定されている。
【００５９】
第１の屈曲部１４は、一方端縁１０３と、頂部１８との間において、他面１０２の側に突出し、頂部１８と平行する関係で長さ方向Ｌに延びている。違う言葉で表現すれば、基板部１０において、一方端縁１０３と、頂部１８との間の板面は、第１の屈曲部１４により図１乃至図２に示した断面Ｖ字形状となっている。第１の屈曲部１４の一面１０１の側に現れる内角θ１は、好ましくは１００度以上１３０度以下の範囲内にある。図８の実施形態において、内角θ１は、１１５度である。
【００６０】
第２の屈曲部１５は、他方端縁１０４と、頂部１８との間において、他面１０２の側に突出し、頂部１８と平行する関係で長さ方向Ｌに延びている。基板部１０において、他方端縁１０４と、頂部１８との間の板面は、第２の屈曲部１５により図１乃至図２を参照して説明した断面Ｖ字形状となっている。第２の屈曲部１５の一面１０１の側に現れる内角θ１は、好ましくは１００度以上１３０度以下の範囲内にある。図８の実施形態において、内角θ１は、１１５度である。
【００６１】
第１の貫通孔１６は、基板部１０の面内に開口し、一面１０１から他面１０２に貫通している。第１の貫通孔１６は、図９に示すように、止め螺子２５が反射器２３を貫通している部分に対応する位置に開設されている。図８において、４つの第１の貫通孔１６は、基板部１０の面内において、頂部１８を挟んだ両斜面にそれぞれ開口し、長さ方向Ｌ、及び、幅方向Ｗに間隔を隔てて開設されている。
【００６２】
切欠部１７は、基板部１０の面内であって、長さ方向Ｌに延びる頂部１８に跨って開口し、一面１０１から他面１０２に貫通している。切欠部１７は、図１９に示すように既設の照明機器２に備えられているグローランプ２７の退避空間として用いられ、グローランプ２７が反射器２３上に突出している部分に対応する位置に形成されている。
【００６３】
図８の反射板１、及び、図９の照明装置の実施形態によっても、図１乃至図７を参照して説明した利点を全て有することができる。さらに、図８の反射板１は、図１乃至図７の反射板１の２つを幅方向Ｗに一体的に連結した構造であるから、所謂、富士型蛍光灯に対する取り付け作業の効率が向上する。
【００６４】
図１０は本発明の更にもう一つの実施形態に係る反射板の平面図、図１１は図１０に示した反射板を用いた照明装置の内部構造を示す断面図である。図１０及び図１１において、図１乃至図９に示した構成部分と同一の構成部分には、同一の参照符号を付す。
【００６５】
図１０の反射板１は、図１乃至図７の反射板１と同様の基本的構成を有する。従って、図８の実施形態によっても、図１乃至図７を参照して説明した利点を全て有することができる。
【００６６】
さらに、図１０の反射板１は、第２の面部１２の幅寸法Ｗ１２が、図１の第２の面部１２の幅寸法の半分程度に設定されている。図１乃至図９を参照して説明したように、本発明に係る反射板１の特徴の一つは、既設の反射器２３に対して後付け可能であること、及び、後付け可能とするための具体的構成として、第１の面部１１に、貫通孔１６や切欠部１７が設けられていることにある。従って、既設の反射器２３に直接接触しない第２の面部１２については、所望の照明効果を実現できる範囲で、幅寸法（Ｗ１０）や形状などを適宜設定することができる。
【００６７】
図１２は本発明の更にもう一つの実施形態に係る反射板の平面図、図１３は図１２の１３−１３線に沿った断面図である。さらに、図１４は図１２及び図１３に示した反射板を用いた照明装置の内部構造を示す断面図である。図１２乃至図１４において、図１乃至図１１に示した構成部分と同一の構成部分には、同一の参照符号を付す。
【００６８】
図１２の反射板は、反射器２３に対し後付けされる点で図１乃至図１１の反射板１と共通点を有する一方、設置面となる反射器２３の形状に追従した具体的構造を有する点で相違点を有する。以下、相違点を中心に説明する。
【００６９】
図１２及び図１３の反射板１は、図１４の反射器２３に取り付けられるものであって、基板部１０と、第１の貫通孔１６と、切欠部１７とを含む。
【００７０】
基板部１０は、平面からみて長方形形状の薄板であって、厚み方向Ｔの両側に一面１０１と、他面１０２とを有している。基板部１０は、一面１０１が鏡面状に平滑化され、光反射面を構成し、他面１０２が反射器２３への取り付け面となっている。
【００７１】
図１２及び図１３の基板部１０は、断面凹形状であって、第１の面部１１と、第２の面部１２０と、第３の面部１３０と、第１の屈曲部１４と、第２の屈曲部１５とを有している。
【００７２】
第１の面部１１は、断面凹形状を有する基板部１０の底面である。第２の面部１２０は、断面凹形状を有する基板部１０において、幅方向Ｗに向かい合う壁面の一方であって、第１の屈曲部１４を介して第１の面部１１から立ち上がっている。
【００７３】
第１の屈曲部１４は、一方端縁１０３と平行する関係で、基板部１０の面内を長さ方向Ｌに延びており、基板部１０の面内において、第１、第２の面部１１、１２を確定している。第１の屈曲部１４の内側において、第１の面部１１と、第２の面部１２０との交差角度（内角θ３）は、９０度以上１８０度未満の角度で立ち上がっている。
【００７４】
第３の面部１３０は、断面凹形状を有する基板部１０において、幅方向Ｗに向かい合う壁面の他方であって、第２の屈曲部１５を介して第１の面部１１から立ち上がっている。
【００７５】
第２の屈曲部１５は、他方端縁１０４と平行する関係で、基板部１０の面内を長さ方向Ｌに延びており、基板部１０の面内において、第１、第３の面部１１、１３０を確定している。第１の屈曲部１４の内側において、第１の面部１１と、第３の面部１３０との交差角度（内角θ４）は、９０度以上１８０度未満の角度で立ち上がっている。
【００７６】
第１の貫通孔１６は、第１の面部１１の面内に開口し、一面１０１から他面１０２に貫通している。第１の貫通孔１６は、図１４に示すように、止め螺子２５が反射器２３を貫通している部分に対応する位置に開設されている。
【００７７】
図１２及び図１３において、第１の貫通孔１６は、複数が長さ方向Ｌに間隔を隔てて開設され、好ましくは相互に同一線上ａに開設されている。もっとも第１の貫通孔１６の設置数及び設置箇所は、既設の照明機器２における止め螺子２５の設置数及び設置箇所に追従して決定されるものである。
【００７８】
図１１及び図１２を参照して説明した反射板１は、既設の照明機器２と組み合わされて、図１４の照明装置を構成するために用いられる。図１４の既設の照明機器２は、本体部２０と、点灯用回路部２２と、反射器２３と、止め螺子２５と、直管型蛍光灯２６と、グローランプ２７とを有している。
【００７９】
点灯用回路部２２は、一対のソケット２２１を有し、本体部２０に取り付けられている。反射器２３は、開口部と、開口部に対向する位置に底部とを有する有底箱形状であって、底部外面が白色塗装されている。反射器２３は、面内に第２の貫通孔２３４を有し、点灯用回路部２２と本体部２０と一体的に覆っており、点灯用回路部２２を覆った状態で一対のソケット２２１が、ソケット挿通孔２３２を通じて反射器２３の底部外面に導出される。
【００８０】
止め螺子２５は、第２の貫通孔２３４を通じて反射器２３を貫通し、反射器２３を本体部２０に掛け止めている。即ち、本体部２０は、反射器２３の底部内面側に収納され、収納された状態で反射器２３が螺子止めされている。
【００８１】
直管型蛍光灯２６は、一対のソケット２２１と電気的に接続されている。図１４において、２つの直管型蛍光灯２６は、底部外面に略平行に配置され、配置された状態でソケット２２１に装着されている。
【００８２】
第１の貫通孔１６は、基板部１０の面内において、第２の貫通孔２３４に重なる位置に設けられている。反射板１は、第１の貫通孔１６と、第２の貫通孔２３４とが重なる関係で、反射器２３に配置されている。
【００８３】
止め螺子２５は、第１の貫通孔１６と、第２の貫通孔２３４とを貫通し、反射板１と、反射器２３とを本体部２０に螺子止めしている。図１４の止め螺子２５は、第１の貫通孔１６と、第２の貫通孔とを貫通し、本体部２０に予め設けられている螺子受け部２０１に螺着されている。
【００８４】
図１４の実施形態によっても、図１乃至図１３を参照して説明した利点を全て有することができる。さらに、図１４の反射板１は、第１〜第３の面部１１、１２、１３を有する三面構造であって、底面となる第１の面部１１に第１の貫通孔１６が設けられているから、所謂トラフ型蛍光灯など反射器２３の表面が平坦面である態様の既設の照明機器２に対しても反射板１を後付けすることができる。
【００８５】
しかも、図１４の照明装置を構成する反射板１は、幅方向Ｗに向かい合う第２、第３の面部１２、１３を有し、第２、第３の面部１２、１３は、第１の面部１１から内角θ３、θ４が、９０度以上１８０度未満の角度で立ち上がっている。この構成によると、基板部１０の一面１０１に、直管型蛍光灯２６を配置することにより、直管型蛍光灯２６から反射板１に発せられる光が、第１〜第３の面部１１、１２０、１３０の相互間で反射され、基板部１０の開口側に導かれる（Ｒ２６）。従って、光反射率（照明効果）が向上する。
【００８６】
図１５は本発明の更にもう一つの実施形態に係る反射板の平面図、図１６は図１５に示した反射板を用いた照明装置の内部構造を示す断面図である。図１５及び図１６において、図１乃至図１４に示した構成部分と同一の構成部分には、同一の参照符号を付す。
【００８７】
図１５及び図１６の反射板１は、図１乃至図１１の実施形態の構造と、図１２乃至図１４の実施形態の構造と兼ね備えている点に特徴がある。即ち、図１５及び図１６の反射板１は、既設の照明機器２を構成する反射器２３に取り付けられるものであって、基板部１０と、第１の貫通孔１６と、切欠部１７とを含む。
【００８８】
基板部１０は、一面１０１が鏡面状に平滑化され、光反射面を構成し、他面１０２の側が反射器２３への取り付け面となっている。基板部１０は、断面からみて略Ｖ字形状であって、第１の面部１１と、第２の面部１２０と、第３の面部１３０と、第１の屈曲部１４と、第２の屈曲部１５とを有している。
【００８９】
第１の面部１１は、断面凹形状を有する基板部１０の底面であって、一面１０１が鏡面状であり、他面１０２が反射器２３への取り付け面となっている。
【００９０】
第２の面部１２０は、幅方向Ｗに向かい合う基板部１０の壁面の一方であって、第１の屈曲部１４を介して第１の面部１１から立ち上がっている。
【００９１】
第１の屈曲部１４は、一方端縁１０３と平行する関係で基板部１０の面内を長さ方向Ｌに延びており、基板部１０の面内において第１、第２の面部１１、１２を確定している。
【００９２】
第３の面部１３０は、幅方向Ｗに向かい合う基板部１０の壁面の他方であって、第２の屈曲部１５を介して第１の面部１１から立ち上がっている。第２の面部１２０と、第３の面部１３０との対抗面間に現れる内角θ１は、好ましくは１００度以上１３０度以下の範囲内にある。図１５及び１６の実施形態において、内角θ１は、１１５度である。
【００９３】
第２の屈曲部１５は、他方端縁１０４と平行する関係で基板部１０の面内を長さ方向Ｌに延びており、基板部１０の面内において第１、第３の面部１１、１３０を確定している。
【００９４】
第１の貫通孔１６は、第１の面部１１の面内に開口し、一面１０１から他面１０２に貫通している。第１の貫通孔１６は、既設の照明機器２の止め螺子２５が反射器２３を貫通している部分に対応する位置に開設されている。
【００９５】
図１５を参照して説明した反射板１は、既設の照明機器２と組み合わされて、照明装置を構成する。図１６の照明装置において、既設の照明機器２は、本体部２０と、点灯用回路部２２と、反射器２３と、止め螺子２５と、直管型蛍光灯２６と、グローランプ２７とを有している。
【００９６】
止め螺子２５は、第１の貫通孔１６と、第２の貫通孔２３４とを貫通し、反射板１と、反射器２３とを本体部２０に螺子止めしている。図１６を参照すると、止め螺子２５は、第１の貫通孔１６と、第２の貫通孔とを貫通し、本体部２０に予め設けられている螺子受け部２０１（フランジ）に螺着されている。
【００９７】
図１５及び図１６の実施形態によっても、図１乃至図１４を参照して説明した利点を全て有することができる。さらに、図１５の反射板１は、第１〜第３の面部１１、１２、１３を有する三面構造であって、底面となる第１の面部１１に第１の貫通孔１６が設けられているから、図１６に示すように所謂富士型蛍光灯において、反射器２３が斜面外の平坦部分で螺子止めされている場合であるなど、様々な態様の既設の照明機器２に対して反射板１を後付けすることができる。
【００９８】
以上、好ましい実施例を参照して本発明の内容を具体的に説明したが、本発明の基本的技術思想及び教示に基づいて、当業者であれば、種種の変形態様を採り得ることは自明である。
【符号の説明】
【００９９】
１              反射板
１０            基板部
１０１          一面
１６            第１の貫通孔
２              既設の照明機器
２０            本体部
２３            反射器
２３４          第２の貫通孔
２５            止め螺子
【図１】
2011096684.tif 000003
【図２】
2011096684.tif 000004
【図３】
2011096684.tif 000005
【図４】
2011096684.tif 000006
【図５】
2011096684.tif 000007
【図６】
2011096684.tif 000008
【図７】
2011096684.tif 000009
【図８】
2011096684.tif 000010
【図９】
2011096684.tif 000011
【図１０】
2011096684.tif 000012
【図１１】
2011096684.tif 000013
【図１２】
2011096684.tif 000014
【図１３】
2011096684.tif 000015
【図１４】
2011096684.tif 000016
【図１５】
2011096684.tif 000017
【図１６】
2011096684.tif 000018
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
連続する２つの反射板部でなり、既設の照明機器を構成する反射器に取り付けられる反射板であって、
前記既設の照明機器は、反射器と、本体部と、２組のソケット対と、止め螺子とを有しており、
前記反射器は、断面Ｖ字状であって、前記Ｖ字状の頂部を挟んだ両斜面のそれぞれに第２の貫通孔を有しており、
前記本体部は、前記反射器の前記Ｖ字状の内側に配置されており、
前記２組のソケット対のそれぞれは、前記両斜面のそれぞれに設けられ、前記ソケット対を構成するソケットが互いに間隔を隔てており、
前記止め螺子は、前記第２の貫通孔を貫通し、前記反射器を前記本体部に螺子止めしており、
前記２つの反射板部のそれぞれは、基板部と、第１の貫通孔とを含み、
前記基板部は、
平面からみて長方形形状であって、長辺の長さ寸法が、前記ソケット対の前記間隔以下となっており、かつ、
断面Ｖ字形状の薄板であって、屈曲部によって画定される２つの面部で構成され、内面が鏡面状となっており、
前記第１の貫通孔は、前記２つの面部の一方において、前記第２の貫通孔に重なる位置に設けられており、
前記２つの反射板部の一方は、前記２つの面部の一方の外面を取り付け面として、前記両斜面の一方に配置され、前記配置された状態で前記止め螺子を、前記第１の貫通孔と、前記第２の貫通孔とに挿通させることにより、前記両斜面の一方に螺子止めされ、
前記２つの反射板部の他方は、前記２つの面部の一方の外面を取り付け面として、前記両斜面の他方に配置され、前記配置された状態で前記止め螺子を、前記第１の貫通孔と、前記第２の貫通孔とに挿通させることにより、前記両斜面の他方に螺子止めされる、
反射板。
【請求項２】
既設の照明機器と、反射板とを含む照明装置であって、
前記既設の照明機器は、反射器と、本体部と、２組のソケット対と、止め螺子とを有しており、
前記反射器は、断面Ｖ字状であって、前記Ｖ字状の頂部を挟んだ両斜面のそれぞれに第２の貫通孔を有しており、
前記本体部は、前記反射器の前記Ｖ字状の内側に配置されており、
前記２組のソケット対のそれぞれは、前記両斜面のそれぞれに設けられ、前記ソケット対を構成するソケットが互いに間隔を隔てており、
前記反射板は、請求項１に記載されたものでなり、
前記２つの反射板部の一方は、前記２つの面部の一方の外面を取り付け面として、前記両斜面の一方に配置され、前記配置された状態で前記止め螺子を、前記第１の貫通孔と、前記第２の貫通孔とに挿通させることにより、前記両斜面の一方に螺子止めされており、
前記２つの反射板部の他方は、前記２つの面部の一方の外面を取り付け面として、前記両斜面の他方に配置され、前記配置された状態で前記止め螺子を、前記第１の貫通孔と、前記第２の貫通孔とに挿通させることにより、前記両斜面の他方に螺子止めされている、
照明装置。